(57)【要約】【課題】専用の通知線を設けずに情報処理装置の電源投入を遠隔制御することを目的とする。【解決手段】情報処理装置に接続された機器の電源投入に応じて該機器の電源投入情報を出力する出力部と、ケーブル内の通知線を介して前記機器の電源投入情報を取得し、該機器の電源投入情報に基づき該機器の電源投入を前記情報処理装置に通知する電源投入通知部と、を有する外付け装置が提供される。【選択図】図２
2016206770.tif 000002
【特許請求の範囲】
【請求項１】
情報処理装置に接続された機器の電源投入に応じて該機器の電源投入情報を出力する出力部と、
ケーブル内の通知線を介して前記機器の電源投入情報を取得し、該機器の電源投入情報に基づき該機器の電源投入を前記情報処理装置に通知する電源投入通知部と、
を有する外付け装置。
【請求項２】
前記出力部は、前記情報処理装置の状態の検知結果に応じて前記通知線を介して前記情報処理装置の電源投入を通知し、
前記電源投入通知部は、前記情報処理装置の電源投入の通知に応じて、取得する前記機器の電源投入情報を無効にする、
請求項１に記載の外付け装置。
【請求項３】
情報処理装置に接続された機器の電源投入に応じて該機器の電源投入情報を出力し、
ケーブル内の通知線を介して前記機器の電源投入情報を取得し、該機器の電源投入情報に基づき該機器の電源投入を前記情報処理装置に通知する、
処理をコンピュータが実行する遠隔電源制御方法。
【請求項４】
情報処理装置に接続された機器の電源投入に応じて該機器の電源投入情報を出力し、
ケーブル内の通知線を介して前記機器の電源投入情報を取得し、該機器の電源投入情報に基づき該機器の電源投入を前記情報処理装置に通知する、
処理をコンピュータに実行させるための遠隔電源制御プログラム。
【発明の詳細な説明】
【技術分野】
【０００１】
本発明は、外付け装置、遠隔電源制御方法及び遠隔電源制御プログラムに関する。
【背景技術】
【０００２】
情報処理装置と所定の機器とをケーブルを用いて接続し、連携して使用することが行われている。例えばＰＣ（Personal Computer）とディスプレイとをＲＧＢケーブルを用いて接続し、ＰＣで処理された情報をディスプレイに表示することが行われている。上記使用形態では、ＰＣの電源を投入し、かつディスプレイの電源を投入するという２ステップの処理が必要であり、ユーザに処理の煩わしさを感じさせる。
【０００３】
そこで、情報処理装置と画像表示装置とで構成される画像表示システムにおいて、一箇所の電源スイッチ操作でシステム全体のオン／オフ制御を実現する技術が知られている（例えば、特許文献１参照）。
【先行技術文献】
【特許文献】
【０００４】
【特許文献１】特開２００３−２０８２４７号公報
【発明の概要】
【発明が解決しようとする課題】
【０００５】
しかしながら、上記の技術では、画像表示装置から情報処理装置の電源を制御するにはＲＧＢケーブル以外の専用ケーブルを取り付けることになり煩雑である。これに対して、ＲＧＢケーブルにより伝送可能なＲＧＢの映像信号や画面表示のための同期信号（ＨＳＹＮＣ，ＶＳＹＮＣ）を使用して情報処理装置の電源を制御することが考えられる。
【０００６】
しかしながら、情報処理装置が起動中にこれらの信号を上記電源制御に使用すると、画像表示装置に表示した場合の画面の色合いや、同期ずれによる画面の乱れが発生するという課題がある。
【０００７】
そこで、一側面では、本発明は、専用の通知線を設けずに情報処理装置の電源投入を遠隔制御することを目的とする。
【課題を解決するための手段】
【０００８】
一つの案では、情報処理装置に接続された機器の電源投入に応じて該機器の電源投入情報を出力する出力部と、ケーブル内の通知線を介して前記機器の電源投入情報を取得し、該機器の電源投入情報に基づき該機器の電源投入を前記情報処理装置に通知する電源投入通知部と、を有する外付け装置が提供される。
【発明の効果】
【０００９】
一側面によれば、専用の通知線を設けずに情報処理装置の電源投入を遠隔制御することができる。
【図面の簡単な説明】
【００１０】
【図１】一実施形態にかかる画像表示システムの構成の一例を示す図。
【図２】一実施形態にかかるディスプレイ及びＰＣの内部構成の一例を示す図。
【図３】一実施形態にかかるＳＤＡ出力回路の一例を示す図。
【図４】一実施形態にかかる電源投入通知回路の一例を示す図。
【図５】一実施形態にかかる電源制御処理の一例を示すフローチャート。
【図６】一実施形態にかかる電源制御処理の一例を示すタイムチャート。
【発明を実施するための形態】
【００１１】
以下、本発明の実施形態について添付の図面を参照しながら説明する。なお、本明細書及び図面において、実質的に同一の機能構成を有する構成要素については、同一の符号を付することにより重複した説明を省く。
【００１２】
［画像表示システムの全体構成］
まず、本発明の一実施形態に係る画像表示システム１の構成の一例について、図１を参照しながら説明する。本実施形態に係る画像表示システム１は、ＰＣ１００及びディスプレイ２００を有する。ＰＣ１００とディスプレイ２００とは、ＲＧＢケーブル３００をＲＧＢコネクタに差し込むことにより接続される。
【００１３】
ＡＣアダプタ４００は、ＰＣ側の常時電源からの交流電力を直流電力に変換する。ＰＣ１００は、ＡＣアダプタ４００を介してＰＣ側の常時電源１０の供給を受ける。同様にしてディスプレイ２００は、ＡＣケーブル５００を介してディスプレイ側の電源の供給を受ける。
【００１４】
ＰＣ１００は、ディスプレイ２００等の機器とケーブルにより接続される情報処理装置の一例である。情報処理装置は、ケーブルを介して接続された機器と通信可能な電子機器であれば機種は問わない。情報処理装置の他の例としては、タブレット型機器、携帯型端末（ＰＤＡ：Personal Digital Assistant、スマートフォン等）、携帯型音楽機器、ゲーム機器等があげられる。
【００１５】
ディスプレイ２００は、情報処理装置と接続される機器の一例である。機器は、接続された情報処理装置と通信可能な電子機器であれば機種は問わない。機器の他の例としては、サイネージやテレビ等があげられる。
【００１６】
ＲＧＢケーブル３００は、ＰＣ１００から送信される画像をディスプレイ２００の画面に表示するためのケーブルの一例である。ＲＢＧケーブルは、ＲＥＤ、ＧＲＥＥＮ、ＢＬＵＥの映像信号と画面表示のための同期信号（ＨＳＹＮＣ、ＶＳＹＮＣ）とを送信するための複数本の通知線を有する。
【００１７】
ＲＢＧコネクタは、Ｉ２Ｃ（Inter-Integrated Circuit）のシリアルバスのインターフェースを有し、Ｉ２Ｃシリアルバスを介して伝送されるＳＤＡ、ＳＣＬの信号が、ＲＧＢケーブル３００を介してディスプレイ２００とＰＣ１００との間で通信できるようにする。
【００１８】
［ＰＣ及びディスプレイの内部構成］
本実施形態にかかる画像表示システム１のＰＣ１００及びディスプレイ２００の内部構成について説明する。本実施形態のＰＣ１００には、図２に示すようにＰＣ１００の電源制御のための電源投入通知回路４０が設けられている。また、ディスプレイ２００には、ＰＣ１００の電源投入を指示するＳＤＡ出力回路３０が設けられている。
【００１９】
ＳＣＬ及びＳＤＡの信号は、ディスプレイ２００からＰＣ１００に送信されるデータであり、Ｉ２Ｃシリアルバスの信号であるが、ＰＣ１００の電源が切れている間、ＳＣＬ及びＳＤＡの信号は使用されない。そこで、電源投入通知回路４０は、ＰＣ１００の電源が切れている間、ＳＣＬ及びＳＤＡの信号を電源制御のための専用のモードで動作させる。これにより、ＳＤＡ出力回路３０及び電源投入通知回路４０は、ＳＣＬ及びＳＤＡの信号を用いてディスプレイ２００の電源が投入されたことをＰＣ１００に通知し、これにより、ＰＣ１００の電源投入を遠隔制御することができる。ＳＤＡ出力回路３０及び電源投入通知回路４０は、ＰＣ１００の電源投入を遠隔制御するための外付け装置の一例である。本実施形態にかかる外付け装置では、電源投入通知回路４０はＩ２Ｃコマンド受信回路１２と別の回路として構成されている。
（ＰＣ）
ＰＣ１００は、Ｉ２Ｃコマンド受信回路１２、ＨＳＹＮＣ、ＶＳＹＮＣの同期信号発生回路１３、ＰＣ側リセット回路１４、電源制御回路１５及び電源投入通知回路４０を有する。
【００２０】
電源投入通知回路４０は、ＲＧＢケーブル３００内の通知線を介してＳＤＡの信号を取得する。ＳＤＡの信号は、ＰＣ１００の電源が切れているとき、ディスプレイ２００の電源投入を知らせる電源投入情報を有する。電源投入通知回路４０は、ディスプレイ２００の電源投入情報に基づきＰＣ１００の電源投入情報を生成し、ＰＣ１００（電源制御回路１５）に通知する。電源投入通知回路４０は、ＰＣ１００の電源投入を指示する電源投入情報をＰＣ１００に通知する電源投入通知部の一例である。
【００２１】
Ｉ２Ｃコマンド受信回路１２は、ＣＰＵとチップセットとを有し、ＰＣ１００の主要な制御を行うＰＣ１００の主要回路である。
【００２２】
同期信号発生回路１３は、画面表示のための同期信号（ＨＳＹＮＣ、ＶＳＹＮＣ）を発生し、ＲＧＢケーブル３００内の通知線を介してディスプレイ２００に伝送させる。ＰＣ側リセット回路１４は、ＰＣ１００の状態をリセットする際にパルス信号を出力する。電源制御回路１５は、電源投入通知回路４０から通知された電源投入情報に応じてＰＣ１００の電源投入を制御する。
【００２３】
電源投入通知回路４０は、ＰＣ側の常時電源１０から電源の供給を受ける。Ｉ２Ｃコマンド受信回路１２及び同期信号発生回路１３は、ＰＣ側の非常時電源１１から電源の供給を受ける。例えば、ＰＣ側の非常時電源１１は二次電池と商用電源の通電時に二次電池を充電する充電回路とを有し、二次電池からの電源をＩ２Ｃコマンド受信回路１２及び同期信号発生回路１３に供給する。
（ディスプレイ）
ディスプレイ２００は、ＨＳＹＮＣ、ＶＳＹＮＣの同期信号検知回路２１、ＯＳＣ（crystal  oscillator：水晶発振器）２２、ディスプレイ側リセット回路２３及びＳＤＡ出力回路３０を有する。
【００２４】
同期信号検知回路２１は、同期信号発生回路１３から出力されるＨＳＹＮＣ、ＶＳＹＮＣの同期信号を検知する。ＯＳＣ２２は、水晶の圧電効果を利用してＳＣＬのクロック信号を発生する。
【００２５】
ディスプレイ側リセット回路２３は、ディスプレイ２００の状態をリセットする際にパルス信号を出力する。ＳＤＡ出力回路３０は、ディスプレイ２００の電源投入に応じてディスプレイ２００の電源が投入されたことを示す電源投入情報を出力する。ＳＤＡ出力回路３０は、ディスプレイ２００の電源投入情報を出力する出力部の一例である。
（プルアップ抵抗）
ディスプレイ２００の電源が切られているとき、ＳＣＬ及びＳＤＡの信号は出力されておらずオープンコレクタ出力と同等の状態になる。このため、ディスプレイ２００の電源が切られているとき、ＳＣＬ及びＳＤＡの信号状態が不安定になり、電源投入通知回路４０がＳＣＬ又はＳＤＡの意図しない誤った信号を入力して誤動作する恐れがある。そこで、ＰＣ側の常時電源１０とＳＣＬの信号線及びＳＤＡの信号線との間に、プルアップ抵抗１０ａが接続されている。これにより、ディスプレイ２００の電源が切られているとき、ＳＣＬ及びＳＤＡの信号はＨに固定される。これにより、電源投入通知回路４０の誤動作を防止することができる。
【００２６】
同様にＰＣ１００の電源が切れているとき、ＨＳＹＮＣ及びＶＳＹＮＣの信号は出力されておらずオープンコレクタ出力と同等の状態になる。このため、ＰＣ１００の電源が切れているとき、ＨＳＹＮＣ及びＶＳＹＮＣの信号状態が不安定になり、同期信号検知回路２１がＨＳＹＮＣ又はＶＳＹＮＣの意図しない誤った信号を入力してセット状態解除信号を出力する等の誤動作が生じる恐れがある。そこで、ディスプレイ側の電源（Ｖ−ｄｉｓｐ）２０とＨＳＹＮＣの信号線及びＶＳＹＮＣの信号線との間に、プルアップ抵抗２０ａが接続されている。これにより、ＰＣ１００の電源が切れているとき、ＨＳＹＮＣ及びＶＳＹＮＣの信号線は、ＨＳＹＮＣ及びＶＳＹＮＣの信号はＨに固定される。これにより、同期信号検知回路２１の誤動作を防止することができる。
【００２７】
［外付け装置の内部構成］
次に、本実施形態に係る外付け装置の内部構成の一例について、図３及び図４を参照しながら説明する。外付け装置のＳＤＡ出力回路３０はディスプレイ側に外付けされている。外付け装置の電源投入通知回路４０はＰＣ側に外付けされている。
（ＳＤＡ出力回路の内部構成）
ＳＤＡ出力回路３０の内部構成及び動作について、図３を参照しながら説明する。ＳＤＡ出力回路３０は、ＲＡＭ（Random Access Memory）３１、ＲＯＭ（Read Only Memory）３２、ＭＰＵ（Microprocessor）３３、ディスプレイ側の電源（V-disp）２０に接続されたフリップフロップ回路３４及びＡＮＤ回路３５を有する。
【００２８】
ＭＰＵ３３は、例えばＲＡＭ３１やＲＯＭ３２からプログラムや機器情報をＲＡＭ３１上に読み出し、プログラムを実行したり、機器情報等をＰＣ１００に通知したりするプロセッサである。ＲＡＭ３１は、揮発性の半導体メモリであり、ＭＰＵ３３のプログラム用データ等を一時保存する。ＲＯＭ１０３は、不揮発性の半導体メモリであり、プログラムや機器情報等を記憶する。
【００２９】
ＳＤＡ、ＳＣＬの信号は、Ｉ２Ｃシリアルバスを使用してディスプレイ２００の機器名をＰＣ１００に伝える用途に使われる。しかし、ＳＤＡ、ＳＣＬの信号は、ＰＣ１００の電源が切れているときには使用されていない。このため、ＰＣ１００の電源が切れているとき、ＳＤＡ、ＳＣＬの信号をディスプレイ２００からＰＣ１００の電源を投入する動作に使用することによっては、ＰＣ１００やディスプレイ２００の動作上の問題は生じない。
【００３０】
そこで、本実施形態では、ＰＣ１００の電源が切れている間に限り、ＳＤＡ、ＳＣＬの信号に専用の動作をさせるように制御することで、ＳＤＡ、ＳＣＬの信号を使用してディスプレイ２００の電源投入に連動してＰＣ１００の電源投入を遠隔制御できる。つまり、ＰＣ１００の電源が切れている状態で、最初にディスプレイ２００の電源が投入されたとき、ＳＤＡの信号を電源投入信号として機能させ、ディスプレイ２００の電源が投入されたことをＰＣ１００に伝える。その動作を以下に説明する。
【００３１】
ＰＣ１００の電源が切れている状態であってディスプレイ２００の電源が投入される前、プルアップによりＳＣＬ及びＳＤＡの信号はＨｉｇｈ（以下、「Ｈ」と称する。）」に保持されている。この状態で最初にディスプレイ２００の電源が投入されたとき、ＳＣＬの信号は、ＯＳＣ（水晶発振器）によりクロック信号になる。一方、最初にディスプレイ２００の電源が投入されたとき、ＳＤＡの信号としては何ら出力する必要がない。よって、ＰＣ１００の電源が切れている状態で最初にディスプレイ２００の電源が投入されたとき、ＳＤＡの信号はＬｏｗ（以下、「Ｌ」と称する。）」を出力するように初期化しておく。
【００３２】
つまり、ＰＣ１００の電源が切れている状態で、最初にディスプレイ２００の電源が投入されたとき、図２のディスプレイ側リセット回路２３がＬ状態のリセット信号（Ｄ−ＲＥＳＥＴ）を出力する。図３に示すように、Ｄ−ＲＥＳＥＴはフリップフロップ回路３４のリセット信号（ＲＥＳＥＴ）であり、Ｌ状態のリセット信号がフリップフロップ回路３４に入力されると、フリップフロップ回路３４からＬ状態の信号が出力され、フリップフロップ回路３４はリセット状態になる。この結果、ＭＰＵ３３の出力がＬ状態又はＨ状態のいずれ場合にもＡＮＤ回路３５からＬ状態の信号が出力される。つまり、ＰＣ１００の電源が切れている状態で、最初にディスプレイ２００の電源が投入されたとき、ＳＤＡ出力回路３０のＳＤＡ信号の出力がＨからＬに変更される。このようにして、ＰＣ１００の電源が切れている状態で、最初にディスプレイ２００の電源が投入されたとき、電源投入通知回路４０はＳＤＡのＬ信号を入力する。
（電源投入通知回路の内部構成）
次に、電源投入通知回路４０の内部構成及び動作について、図４を参照しながら説明する。電源投入通知回路４０は、１６段のフリップフロップ回路４１、ＮＯＴ回路４２、ＡＮＤ回路４３及びＡＮＤ回路４４を有する。
【００３３】
電源投入通知回路４０がＳＣＬの１６回分のクロック信号とＳＤＡのＬ信号を受信すると、１６段のフリップフロップ回路４１ａ、・・・４１ｎの出力（図４のフリップフロップ回路のＱの反転出力側）からＨ状態の信号が出力され、この結果、ＡＮＤ回路４４の出力がＬ状態からＨ状態に変更される。このようにして電源投入通知回路４０から出力される信号がＬ状態からＨ状態に変更されたことにより電源投入信号が電源制御回路１５に送られる。すなわち、電源投入通知回路４０から出力される信号がＬ状態からＨ状態に変更されたことで、ディスプレイ２００の電源が投入されたことを通知する電源投入情報がＰＣ側に通知され、これに応じてＰＣ１００の電源が投入され、ＰＣ１００が起動する。このようにして、ディスプレイ２００の電源が投入されたとき、ＰＣ１００の電源を投入する遠隔制御が実行される。これにより、ディスプレイ２００の電源ボタンを押すだけで、ＰＣ１００の電源を投入することができる。
【００３４】
なお、フリップフロップ回路４１を１６段にしている理由は、ＭＰＵ３３が扱うデータのビット数以上の段数のフリップフロップ回路４１を設けることで誤動作を防止するためである。１６段のフリップフロップ回路４１では各フリップフロップ４１ａ〜４１ｎに１６個のＬ状態の信号が出力されたときに初めて電源投入通知回路４０の出力がＬ状態からＨ状態に変わり、Ｈ状態に保持された電源投入信号が出力される。これに対して、例えば、ＭＰＵが扱うデータのビット数が１６ビットのとき、ＭＰＵ３３により送受信される１６ビットのほとんどのデータには少なくとも１ビットのＨが含まれる。これにより、ＭＰＵ３３が取り扱う１６ビットのデータが誤って各フリップフロップ４１ａ〜４１ｎに入力されたときにおいても電源投入通知回路４０の出力がＬ状態からＨ状態に変わることはなく、ＰＣ１００の電源を再投入する誤動作を防止できる。
【００３５】
例えば、ＭＰＵ３３のデータのビット数が３２ビットの場合には、フリップフロップ回路４１の段数は、３２ビット以上に設定する。なお、フリップフロップ回路４１の段数が多いほど精度が向上し、より確実に誤動作を防止できる。
（リセット状態解除）
以上に説明した外付け装置は、上記のようにしてディスプレイ２００の電源投入に応じてＰＣ１００の電源が投入された後にリセット状態解除信号を出力し、電源投入通知回路４０の動作を停止させる。これにより、外付け装置は、例えばディスプレイ２００の電源が再投入された場合等に出力される電源投入信号を無効化する機能を有する。このリセット状態解除機能について以下に説明する。
【００３６】
図２に示すように、電源制御回路１５は電源投入信号を受け取り、ＰＣ１００の電源を投入するように制御する。これにより、ＰＣ１００が起動すると、ＰＣ側の非常時電源１１が投入され、同期信号発生回路１３が動作を開始する。同期信号発生回路１３は、画像表示のためのＨＳＹＮＣ、ＶＳＹＮＣの同期信号を出力する。ＨＳＹＮＣ、ＶＳＹＮＣの同期信号は、Ｉ２Ｃシリアルバスを通り、ＲＧＢケーブル３００を介してディスプレイ側の同期信号検知回路２１に入力される。
【００３７】
ＰＣ１００の電源が切れているとき、プルアップによりＨＳＹＮＣ、ＶＳＹＮＣはＨ状態に保持されていたため、同期信号検知回路２１は、入力されたＬ状態を含むＨＳＹＮＣ，ＶＳＹＮＣの同期信号を検知することができる。同期信号検知回路２１は、これらの同期信号を検知した場合、ＳＤＡ出力回路３０のリセット状態を解除する信号（リセット状態解除信号）をＳＤＡ出力回路３０に送る。
【００３８】
リセット状態解除信号が図３に示すＳＤＡ出力回路３０のフリップフロップ回路３４のプリセット（Ｐ−ＲＥＳＥＴ）に入力されると、ＳＤＡ出力回路３０はリセット解除状態になり、フリップフロップ回路３４からＨ状態の信号が出力される。これにより、ＳＤＡ出力回路３０から出力されるＳＤＡは、ＭＰＵ３３の出力値と同一値となり、ＳＤＡの通常動作が行われる。
【００３９】
一方、ＰＣ１００の電源が投入されると、ＰＣ側の非常時電源１１の投入信号がＬからＨに変わって出力される。これにより、図４の電源投入通知回路４０のＮＯＴ回路４２の入力はＨになり、ＮＯＴ回路４２からＬ状態の信号が出力される。ＡＮＤ回路４３には、ＮＯＴ回路４２から出力されたＬ状態の信号とＰＣ側リセット回路１４から出力されたＬ状態のリセット信号とが入力され、Ｌ状態の信号が出力される。これにより、１６段の各フリップフロップ回路４１ａ〜４１ｎのＰ−ＲＥＳＥＴにＬ状態のリセット信号が入力される。これにより、各フリップフロップ回路４１ａ〜４１ｎはその時点の出力を維持したままになり、その後のＳＤＡがＨ又はＬのいずれの値であっても各フリップフロップ回路４１ａ〜４１ｎの出力は変化しない状態となる。これにより、電源投入通知回路４０の動作は停止した状態になる。このようにして本実施形態に係る外付け装置は、ＰＣ１００の電源が投入された後の電源投入通知回路４０の動作を停止させることができる。これにより、本実施形態においてＳＤＡ出力回路及び電源投入通知回路４０の外付け装置を付加したことによるＰＣ１００の電源の自動投入後の誤動作を防止できる。
【００４０】
［外付け装置の電源制御処理］
次に、本実施形態に係る電源制御処理の一例について、図５のフローチャート及び図６のタイムチャートを参照しながら説明する。なお、図５の左側はディスプレイ側の処理を示し、右側はＰＣ側の処理を示す。また、前提としてＰＣ１００の電源及びディスプレイ２００の電源は切れた状態であり、ＳＤＡ、ＳＣＬ、ＨＳＹＮＣ、ＶＳＹＮＣの各信号はＨ状態になっている。
【００４１】
本処理が開始されると、ディスプレイ側リセット回路２３は、ディスプレイ２００の電源（Ｖ−ｄｉｓｐ）が投入されたかを判定する（ステップＳ１０）。ディスプレイ側リセット回路２３は、ディスプレイ２００の電源が投入されていないと判定すると、本処理を終了する。
【００４２】
ディスプレイ側リセット回路２３は、ディスプレイ２００の電源が投入されていると判定すると、初回の電源投入かを判定する（ステップＳ１１）。ディスプレイ側リセット回路２３は、初回の電源投入でないと判定すると、本処理を終了する。ディスプレイ側リセット回路２３は、初回の電源投入であると判定すると、Ｌ状態のリセット信号（Ｄ−ＲＥＳＥＴ）を出力する（ステップＳ１２）。
【００４３】
図６に示すように、ディスプレイ側の電源（Ｖ−ｄｉｓｐ）が投入されると（図６の（１））、ディスプレイ側リセット回路２３からＬ状態のリセット信号であるＤ−ＲＥＳＥＴが出力される（図６の（２））。これにより、ＳＤＡ出力回路３０がリセット状態になり、ＳＤＡがＬに設定される（（図６の（３））。また、ディスプレイ側の電源（Ｖ−ｄｉｓｐ）が投入されると、ＯＳＣ２２（水晶発振）によりＳＣＬのクロック信号の発信が開始される（図６の（４））。
【００４４】
図５に戻り、ＳＤＡ出力回路３０は、Ｌ状態のリセット信号であるＤ−ＲＥＳＥＴとＳＣＬのクロック信号とを取得し、Ｌ状態のＳＤＡをＩ２Ｃシリアルバスに通し、ＲＧＢケーブルを介してＰＣ側に通知する（ステップＳ１３）。
【００４５】
ＰＣ側において、電源投入通知回路４０は、Ｌ状態のＳＤＡを入力する（ステップＳ２０）。電源投入通知回路４０は、ＳＣＬの１６回分のクロック信号（図６の（５））とＳＤＡ（図６の（３）のＬ信号）とを受け付けると、１６段のフリップフロップ回路４１を用いてＨ状態の電源投入信号を発生する（ステップＳ２１：図６の（６）のＨ）。電源投入信号は、電源制御回路１５に通知される（ステップＳ２２）。
【００４６】
電源制御回路１５は、ＰＣ１００の常時電源１０を投入し、非常時電源１１を投入する（ステップＳ２３：図６の（７））。これにより、Ｉ２Ｃコマンド受信回路１２及び同期信号発生回路１３に電源が供給され、ＰＣ１００の動作が開始される。
【００４７】
同期信号発生回路１３は、画像表示のためのＲＧＢの映像信号を、ＲＧＢケーブル３００を介してディスプレイ２００に送信する。また、同期信号発生回路１３は、ＨＳＹＮＣ、ＶＳＹＮＣの同期信号を生成し、ＲＧＢケーブル３００を介してディスプレイ２００に送信する（ステップＳ２４：図６の（８）（９））。
【００４８】
同期信号検知回路２１は、ＨＳＹＮＣ、ＶＳＹＮＣの同期信号を検出する（ステップＳ１４：図６の（１０））。同期信号検知回路２１は、検出結果に基づき、リセット状態解除信号を出力する（ステップＳ１５：図６の（１０）のＨ）。
【００４９】
リセット状態解除信号が図３に示すＳＤＡ出力回路３０のフリップフロップ回路３４のプリセット（Ｐ−ＲＥＳＥＴ）に入力されると、ＳＤＡ出力回路３０はリセット解除状態になり、フリップフロップ回路３４からＨ状態の信号が出力される。これにより、ＳＤＡ出力回路３０から出力されるＳＤＡは、ＭＰＵ３３の出力値と同一値となり、ＳＤＡ及びＳＣＬの動作をＩ２Ｃの通常動作に戻す（ステップＳ１６：図６の（１１）のＨ）。以降、シリアルバスとしてのＳＣＬ、ＳＤＡの信号の動作が可能になる。
【００５０】
ＰＣ１００の電源投入通知回路４０は、ＳＤＡ信号を受信し、ディスプレイ２００の機器名を取得する（ステップＳ２５）。ＰＣ１００の電源が投入されると、電源投入通知回路４０の動作は停止し（ステップＳ２６）、本処理を終了する。
【００５１】
以上、本実施形態にかかる画像表示システム１によれば、専用の通知線を設けずにディスプレイ２００の電源投入を一度行えば、ＰＣ１００の電源を自動投入できるため、ユーザ操作の煩雑さを軽減できる。
【００５２】
また、コマンドを受信するＰＣ１００のＩ２Ｃコマンド受信回路１２は主要回路の一部であるため消費電力が高い。これに対して、本実施形態にかかる画像表示システム１によれば、Ｉ２Ｃコマンド受信回路１２と別に電源投入通知回路４０を設けることで回路規模が大きくなることを抑え、消費電力を低減できる。
【００５３】
具体的には、本実施形態にかかる画像表示システム１によれば、外付け装置の専用の受信回路（電源投入通知回路４０）は小型化が可能なので常時電源で稼働する部分は少なく、ＰＣ１００の電源オフ時の消費電力を大幅に削減することができる。また、ＲＧＢケーブル３００及びＩ２ＣのＳＤＡ、ＳＣＬ信号という既存の構成や既存の信号を流用することで、専用の信号処理、専用の受信回路を設ける必要がない。よって、コネクタの追加や信号追加などでＰＣ１００とディスプレイ２００との通信に互換性がなくなる懸念が生じない。
【００５４】
さらに、本実施形態によれば、リセット状態解除信号によりＰＣ１００の電源が入っている状態で、再度ディスプレイ２００の電源が入った場合において、ＳＤＡの信号の出力は通常のＩ２ＣシリアルバスとしてのＳＣＬ、ＳＤＡの動作にリセットされる。これにより、ＰＣ１００の電源が入った後の動作に不具合は生じない。
（ソフトウェアによる構築）
以上に説明したＳＤＡ出力回路３０の機能と電源投入通知回路４０の機能とを実行するソフトウェアを構築することにより本実施形態を実現してもよい。この場合、ＳＤＡ出力回路３０の機能と電源投入通知回路４０の機能とをＭＰＵ３３に実行させるための遠隔電源制御プログラムをＲＡＭ３１等に記憶する。ＭＰＵ３３は、ＰＣ１００の電源が切れている状態でディスプレイ２００の電源が投入されると、遠隔電源制御プログラムを実行することにより、上記ＰＣ１００の電源を投入するようにしてもよい。
【００５５】
この場合、リセット状態解除信号はＭＰＵ３３に入力される。これにより、ＭＰＵ３３は、ＰＣ１００の電源が投入された後、ＳＤＡ、ＳＣＬを通常動作で動作させ、電源投入通知回路４０の機能を停止することができる。
【００５６】
以上、外付け装置、遠隔電源制御方法及び遠隔電源制御プログラムを上記実施形態により説明したが、本発明にかかる外付け装置、遠隔電源制御方法及び遠隔電源制御プログラムは上記実施形態に限定されるものではなく、本発明の範囲内で種々の変形及び改良が可能である。また、上記実施形態及び変形例が複数存在する場合、矛盾しない範囲で組み合わせることができる。
【００５７】
以上の説明に関し、更に以下の項を開示する。
（付記１）
情報処理装置に接続された機器の電源投入に応じて該機器の電源投入情報を出力する出力部と、
ケーブル内の通知線を介して前記機器の電源投入情報を取得し、該機器の電源投入情報に基づき該機器の電源投入を前記情報処理装置に通知する電源投入通知部と、
を有する外付け装置。
（付記２）
前記出力部は、前記情報処理装置の状態の検知結果に応じて前記通知線を介して前記情報処理装置の電源投入を通知し、
前記電源投入通知部は、前記情報処理装置の電源投入の通知に応じて、取得する前記機器の電源投入情報を無効にする、
付記１に記載の外付け装置。
（付記３）
情報処理装置に接続された機器の電源投入に応じて該機器の電源投入情報を出力し、
ケーブル内の通知線を介して前記機器の電源投入情報を取得し、該機器の電源投入情報に基づき該機器の電源投入を前記情報処理装置に通知する、
処理をコンピュータが実行する遠隔電源制御方法。
（付記４）
前記情報処理装置の状態の検知結果に応じて前記通知線を介して前記情報処理装置の電源投入を通知し、
前記情報処理装置の電源投入の通知に応じて、取得する前記機器の電源投入情報を無効にする、
付記３に記載の遠隔電源制御方法。
（付記５）
情報処理装置に接続された機器の電源投入に応じて該機器の電源投入情報を出力し、
ケーブル内の通知線を介して前記機器の電源投入情報を取得し、該機器の電源投入情報に基づき該機器の電源投入を前記情報処理装置に通知する、
処理をコンピュータに実行させるための遠隔電源制御プログラム。
（付記６）
前記情報処理装置の状態の検知結果に応じて前記通知線を介して前記情報処理装置の電源投入を通知し、
前記情報処理装置の電源投入の通知に応じて、取得する前記機器の電源投入情報を無効にする、
付記５に記載の遠隔電源制御プログラム。
【符号の説明】
【００５８】
１２：Ｉ２Ｃコマンド受信回路
１３：同期信号発生回路
１４：ＰＣ側リセット回路
１５：電源制御回路
２１：同期信号検知回路
２２：ＯＳＣ
２３：ディスプレイ側リセット回路
３０：ＳＤＡ出力回路
３１：ＲＡＭ
３２：ＲＯＭ
３３：ＭＰＵ
３４：フリップフロップ回路
３５：ＡＮＤ回路
４０：電源投入通知回路
４１：１６段フリップフロップ回路
４２：ＮＯＴ回路
４３，４４：ＡＮＤ回路
１００：ＰＣ
２００：ディスプレイ
３００：ＲＧＢケーブル
４００：ＡＣアダプタ
【図１】
2016206770.tif 000003
【図２】
2016206770.tif 000004
【図３】
2016206770.tif 000005
【図４】
2016206770.tif 000006
【図５】
2016206770.tif 000007
【図６】
2016206770.tif 000008